(57)【特許請求の範囲】
【請求項１】
液透過性の第１の表面シートと、液不透過性の裏面シートと、これら両シートの間に配置された吸収体とを有する使いすておむつにおいて、前記第１の表面シートの上には、液透過性の第２の表面シートが配置されており、
前記第２の表面シートには、おむつの股下領域において、第１の開口部が設けられており、
前記第１の表面シートと前記第２の表面シートとは両側縁部が互いに接着固定されており、かつ、後身頃端部の中央領域では前記両シートは互いに非接合状態にあり、両シート間に第２の開口部が形成されていることを特徴とする使いすておむつ。
【請求項２】
前記使いすておむつの後身頃部の前記第１の表面シートと第２の表面シートの間には、第３の表面シートが配置されていることを特徴とする請求項１に記載の使いすておむつ。
【発明の詳細な説明】
【０００１】
【発明の属する技術分野】
本発明は、使いすておむつに関し、さらに詳しくは、排泄物の漏れを防止し、付着した排泄物、特に軟便の処理を容易にした使いすておむつに関する。
【０００２】
【従来の技術】
従来から使いすておむつは、液透過性の表面シートと不透明性で液不透過性の裏面シートの間に綿状パルプ、吸収性物質（例えば高吸収性ポリマー）、親水性シートなどからなる吸収体を配置した構成になっており、尿、体液などは表面シートを通って吸収体に吸収されるが、時として使いすておむつから排泄物が漏れてしまうことがあった。また、使いすておむつを取り外す際やおむつを持ち歩く時に、表面シート上の大便等排泄物が飛散したり移動して、着用者の脚に付着したり、衣服や周囲を汚すことがある。これは、一般的に使いすておむつの吸収体は、大便等の固形や粘性の高いものを吸収できないことと、大便（特に軟便）がおむつ上を移動できるからである。
【０００３】
また、使いすておむつをゴミとして廃棄するときには、必ず大便を使いすておむつから取り除いてトイレ等において始末しなければならない。この時にへら等の道具を用いて使いすておむつの表面シート上の大便をすくい、トイレへ廃棄することが一般的であるが、このときにも表面シート上の大便の移動や飛散が生じ、大便が周囲を汚しやすいという問題があった。
【０００４】
これらの問題を解消するために、特公平６−９３９０１号公報では、吸収性物品の長手方向両端部に伸縮性のあるバリアーカフスを配置したものが提案されている。また特開昭６４−２６７０１号公報では、吸収性物品の背腹部にフラップを設けた構造が開示されている。一方、特開平４−２１８１５７号公報では、第２、第３の表面シートの中央部にスリットを設け、第１の表面シート上に重ね合わせる構造が開示されている。
いずれの構造も幅方向、あるいは背腹部、もしくはその両方の漏れを防止する効果がある。しかし、いずれの構造を用いても、使用済みの使いすておむつから大便をトイレへ廃棄する際には、へら等の道具を用いて使いすておむつの表面シート上の大便をすくう作業が必要であり、このときにも表面シート上の大便の移動や飛散が生じ、大便が周囲を汚しやすいという問題がある。
【０００５】
【発明が解決しようとする課題】
本発明は、上記従来の使いすておむつの有する課題を解決し、排泄物の漏れを防止し、取り外す時に表面シート上の排泄物の移動や飛散を防ぎ、また、排泄物を取り除いてトイレに始末する作業の時にも排泄物の移動や飛散を防止した使いすておむつを提供することにある。
【０００６】
【課題を解決するための手段】
上記課題を解決するための本発明は、以下の発明を包含する。
（１）液透過性の第１の表面シートと、液不透過性の裏面シートと、これら両シートの間に配置された吸収体とを有する使いすておむつにおいて、
前記第１の表面シートの上には、液透過性の第２の表面シートが配置されており、
前記第２の表面シートには、おむつの股下領域において、第１の開口部が設けられており、
前記第１の表面シートと前記第２の表面シートとは両側縁部が互いに接着固定されており、かつ、後身頃端部の中央領域では前記両シートは互いに非接合状態にあり、両シート間に第２の開口部が形成されていることを特徴とする使いすておむつ。
【０００７】
（２）前記使いすておむつの後身頃部の前記第１の表面シートと第２の表面シートの間には、第３の表面シートが配置されていることを特徴とする（１）項に記載の使いすておむつ。
【０００８】
【発明の実施の形態】
本発明の使いすておむつは、液透過性の第１の表面シート上には液透過性の第２の表面シートが配置されており、おむつの股下領域において第２の表面シートには第１の開口部が設けられており、第１の表面シートと第２の表面シートは両側縁部が互いに接着固定されており、後身頃端部の中央領域では両シート間が互いに離間して第２の開口部が形成されている。
【０００９】
このような構成の本発明の使いすておむつは、着用者が大便を排泄した場合、第２の表面シートに設けられた第１の開口部を通して、第１の表面シート上に大便が付着する。着用者の肌には第２の表面シートが接触しており、大便等が使いすておむつ表面上にないために、使用中や使いすておむつを取り外すときも、大便等が肌や脚に付着したり、衣服や周囲を汚すことを防止できる。また、トイレへの持ち運びにも周囲が汚れることを必要以上に注意することはない。さらに、後身頃端部の中央領域の第１の表面シートと第２の表面シートの間に形成された第２の開口部を通して、大便等をトイレへ簡便に廃棄することができ、表面シート側を内側にしておむつを幅方向にくるむことによって、廃棄作業中の大便等の飛散による周囲の汚れを防止できる。第２開口部から廃棄するためには、第２開口部（後身頃）を下に、前身頃を上にして、大便をそのままトイレへ落とすのであるが、裏面シート（くるんだおむつの外側）をしぼったり、さすることにより、より短時間でトイレへ落とすことができる。
【００１０】
本発明における第１及び第２の表面シートは、液透過性シートであり、ポリエステル、ポリプロピレン、ポリエチレン、その他の熱可塑性樹脂等を原料とした合成繊維からなる液透過性の不織布、織布が用いられる。また、天然繊維でもよく、合成繊維と天然繊維との組み合わせ等、広い範囲の材料から製造することができる。いずれにしても、第２の表面シートは、直接肌に接触する部分であるため、柔らかく、肌触りのよいものであれば良く、通気性であれば良い。第１の表面シートは、吸収体上に配置されるため、速やかに液を透過させることができることが好ましい。
【００１１】
本発明の第２の表面シートには、股下領域に第１の開口部が設けられている。第１の開口部の大きさは臀部、特に肛門部が収まる大きさであれば良く、特に限定されるものではない。また、開口部の形状も臀部が収まり、便が通過できれば良く、円形、楕円形、矩形、三角形等、任意の形状にすることができる。
また、排泄物が第１の表面シート上に受け止められやすくするために、第２の表面シートの開口部周辺に伸縮弾性部材を配置したり、伸縮性を持つシートで形成しても良い。
【００１２】
また、第１の表面シートは、単一のシートで構成される必要はなく、中央部表面シートや側部表面シートといった複数のシートで構成されても良い。また、複数のシートで第１の表面シートを構成する際、各シートは別の素材を使っても良いが、同一の素材でも良い。
【００１３】
本発明において、おむつの後身頃部の第１の表面シートと第２の表面シートの間に第３の表面シートを配置させることもできる。第３の表面シートは疎水性であることが好ましく、これにより、おむつから大便を廃棄する時には、第１、および／または第２の表面シートに大便が付着することや、廃棄しにくくなることを防ぐことができる。
【００１４】
本発明において、おむつの後身頃端部の中央領域には、第１及び第２の表面シートの非接着部分により両シートの間に第２の開口部が形成されている。第２の開口部の大きさは、便を廃棄する際に便が通過できれば良く、特に限定されるものではないが、吸収体の幅と同程度であれば良い。
【００１５】
本発明における吸収体は、綿状パルプ、高吸水性ポリマー、親水性シート等によって形成されるが、吸水性を有している材料であれば特に制限を受けるものではない。また吸収体は、従来から吸収性物品に通常使用されている公知の吸収性材料から作られている。すなわち、綿状パルプ、レーヨン等の吸収性繊維からなる単層もしくは多層のマットから形成され、さらに親水性シートによってくるまれており、そして、高吸収性ポリマーが各マット中に均一に混合もしくは各マット間に層状に配置されている。また、高吸収性ポリマーを均一に混合された吸収体は、綿状パルプに対して３〜６０重量％の熱融着性物質を混合した後、熱圧着してもよい。
【００１６】
本発明における高吸収性ポリマーとしては、デンプン系、セルロース系、合成ポリマー系が挙げられる。具体的には、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコールー無水マレイン酸反応物の架橋物などであるが、このうち自重の３０倍以上の水を吸収するもので、ポリアクリル酸ナトリウム系のものが吸収性能の点から最も適当である。
また、親水性シートとしては、例えば、ティシュ、吸収紙、親水性不織布等の親水性を有するシートであれば、いずれも使用することができる。。
【００１７】
前記吸収体の形状は、砂時計型、矩型、Ｔ字型等特に制限はないが、使いすておむつの場合は、一般的に着用感を向上させるために、砂時計型やＴ字型等股下部を狭くした形状であることが好ましい。
【００１８】
本発明における裏面シートは、液不透過性シートであり、ポリエチレン等の液不透過性フィルム、液不透過性フィルムに不織布または織布を貼り合わせてある素材、また、防漏性のある不織布、織布等からなり、特に制限はなく、吸収体中の水分が使いすておむつの外側にしみ出さないものであれば良い。また、布状外貌を与えるために模様状にエンボス処理したり、さらに艶消し仕上げをしても良い。また、フィルムを使用する場合は、不透過性でありながら、水蒸気だけを透過させる公知の透湿性フィルムを使用しても良く、蒸れを防止することから好ましい。また、着用者にフィットするように伸縮性のある素材であっても良く、ポリウレタン系フィルム、天然ゴムシート、発泡シート等の使用が可能であり、さらに、伸縮性不織布などを貼りあわせた素材でも良い。
【００１９】
【実施例】
以下、図面により本発明の使いすておむつをより具体的に説明するが、本発明はこれらによって限定されるものではない。
図１は、本発明の使いすておむつの一部切り欠き平面図である。
図１において、本発明の使いすておむつ１は、液透過性の第１の表面シート２と液不透過性の裏面シート３の間に吸収体４が配置されている。また、第１の表面シート２の上には液透過性の第２の表面シート５が配置されており、その股下領域には第１の開口部６が形成されている。さらに、第１の表面シート２、及び第２の表面シート５の後身頃９端部の中央領域では両シートが離間して第２の開口部７が形成されている。
【００２０】
図２は、図１に示した本発明の使いすておむつをＸ−Ｘ’線に沿って切断した状態を示す横断面図である。
図２において、第１の表面シート２と第２の表面シート５は、中央領域では離間して第２の開口部７を形成しているが、両側縁部では両シートは互いに接着固定されている。
【００２１】
図３は、図２とは異なる例を示す、図１に示した本発明の使いすておむつをＸ−Ｘ’線に沿って切断した状態を示す横断面図である。
図３において、第１の表面シート２と第２の表面シート５の間に、疎水性の第３の表面シート１０が配置されている。
【００２２】
図４は、図１に示した本発明の使いすておむつをＹ−Ｙ’線に沿って切断した状態を示す横断面図である。
図４において、第２の表面シート５にはおむつ１の股下領域の位置に第１の開口部６が形成されており、また、後身頃９の端部では第１の表面シート２と第２の表面シート５が互いに非接着状態にあり、両シートの間に第２の開口部７が形成されている。
【００２３】
図５は、図１に示した使いすておむつの大便排泄後の平面図である。
図５において、第１の開口部６を通して、大便８は第１の表面シート２上に受け取られており、おむつを取り外す際やおむつを持ち歩く際に、大便が飛散したりおむつ内を移動することを防止している。
【００２４】
図６は、図５に示した使いすておむつの大便をトイレへ廃棄する様子の斜視図である。
図６において、後身頃９を下方（トイレ）へ向けて、第２の開口部７より大便をおむつ外へ廃棄するために、使いすておむつを裏面シート３側を外側にしてくるみ、手でさすったり、しぼるような動作により、簡便にトイレへ廃棄することができ、大便が飛散して周囲を汚すことを防止できる。
【００２５】
【発明の効果】
本発明の使いすておむつは、おむつから排泄物が漏れることを防止し、使いすておむつを取り外す時に、表面シート上の大便の移動や飛散を防ぎ、また、大便を使いすておむつから取り除いてトイレに廃棄する作業の時にも作業が容易で且つ、大便の移動や飛散を防ぐことができるものである。
【図面の簡単な説明】
【図１】本発明の使いすておむつの一部切り取り平面図。
【図２】図１に示した使いすておむつをＸ−Ｘ’線で切断した状態を示す横断面図。
【図３】図２とは異なる例を示す、図１に示した使いすておむつをＸ−Ｘ’線で切断した状態を示す横断面図。
【図４】図１に示した使いすておむつをＹ−Ｙ’線で切断した状態を示す横断面図。
【図５】図１に示した使いすておむつの大便排泄後の平面図。
【図６】図５に示した使いすておむつの大便をトイレへ廃棄する様子を示す斜視図。
【符号の説明】
１.使いすておむつ
２.第１の表面シート
３.裏面シート
４.吸収体
５.第２の表面シート
６.第１の開口部
７.第２の開口部
８.大便
９.後身頃
１０.第３の表面シート
【図１】
0004178738.tif 000002
【図２】
0004178738.tif 000003
【図３】
0004178738.tif 000004
【図４】
0004178738.tif 000005
【図５】
0004178738.tif 000006
【図６】
0004178738.tif 000007